(57)【特許請求の範囲】
【請求項１】
対をなす表紙間に用紙類を綴じ足を用いて綴じることができるようにしたファイルであって、
一方の表紙側に綴じ足の基端部側を取り付け、他方の表紙側に前記綴じ足の先端部側を挿入可能な挿入孔を設けるとともに、その挿入孔の開口端部に保護部材を設け、この保護部材が、前記挿入孔の開口内周面を略被覆した状態で該挿入孔に挿入されるボス部を具備していることを特徴とするファイル。
【請求項２】
対をなす表紙間に用紙類を綴じ足を用いて綴じることができるようにしたファイルであって、
一方の表紙に綴じ足の基端部側を取り付けるとともに、少なくとも他方の表紙を互いに重合する内表紙要素と外表紙要素とを具備してなる二重構造のものにし、前記内表紙要素に前記綴じ足の先端部側を挿入可能な挿入孔を設けるとともに、その挿入孔の開口端部に保護部材を設け、この保護部材が、前記挿入孔の開口内周面を略被覆した状態で該挿入孔に挿入されるボス部を具備していることを特徴とするファイル。
【請求項３】
保護部材が、前記ボス部のボス孔に連通する前記綴じ足を挿入するための内挿入孔を有しており、この内挿入孔が、その内周面に前記綴じ足の挿入動作をガイドする案内面を有し、前記案内面が、前記内挿入孔の開口面積を挿入端側から反挿入端側に向かって漸次減少させるようなテーパ傾斜角度を有するテーパ面であることを特徴とする請求項１又は２記載のファイル。
【請求項４】
綴じ足の先端部が、挿入方向に沿って位置する対向面を漸次緩やかに近接させた先細り状のものであることを特徴とする請求項１、２又は３記載のファイル。
【請求項５】
綴じ足が、その先端部を他方の表紙側に設けた保護部材の内挿入孔内に挿入する際に該先端部と前記表紙側との間の挿入角度が小さくなる方向に屈曲した屈曲部分を有することを特徴とする請求項１、２、３又は４記載のファイル。
【請求項６】
両表紙側の奥行方向略同位置に対向配置させて前記綴じ足と挿入孔から構成される少なくとも一対の綴じ手段を設け、これら綴じ手段の綴じ足を交差させて用紙類を綴じるようにしていることを特徴とする請求項１、２、３、４又は５記載のファイル。
【請求項７】
両表紙側の奥行方向に偏移させた位置に前記綴じ足と挿入孔から構成される綴じ手段を少なくとも一対設け、これら綴じ手段の綴じ足を交差させて用紙類を綴じるようにしていることを特徴とする請求項１、２、３、４又は５記載のファイル。
【請求項８】
両表紙が、折り曲げ成形により一体的に形成されていることを特徴とする請求項１、２、３、４、５、６又は７記載のファイル。
【発明の詳細な説明】
【０００１】
【発明の属する技術分野】
本発明は、用紙類の綴じ作業を円滑に行い得るファイルに関するものである。
【０００２】
【従来の技術】
従来、ファイル用紙等の用紙類を、対をなす表紙間に綴じ足を用いて綴じることができるようにしたファイルが各種知られている。
この種のファイルの具体的な例としては、一方の表紙に綴じ足の基端部側を取り付けるとともに、少なくとも他方の表紙を互いに重合する内表紙要素と外表紙要素とを具備してなる二重構造のものにし、前記内表紙要素に前記綴じ足の先端部側を挿入可能な挿入孔を設け、前記綴じ足を用紙類の綴じ孔、内表紙要素の挿入孔の順に挿入し、その先端部を他方の表紙の内表紙要素と外表紙要素間に介在させて用紙類を綴じるようにしているものがある。
【０００３】
しかしながら、この種のファイルは、綴じ足を挿入孔に挿入する挿入作業時に、前記綴じ足の先端部が挿入孔の開口端部に突き当たりがちであり、長期間使用するうちに、前記挿入孔の開口端部やその周辺が消耗しやすいものであった。
そのため、この挿入孔の開口端部やその周辺の保護及び補強を行うべく、挿入孔の周辺に保護部材を設けているものがある。この保護部材の具体的な例としては、前記内表紙要素の挿入孔と略対応する位置に挿入孔を有し、前記内表紙要素に接着剤等で貼り着けられる平板状のものが挙げられる。
【０００４】
【発明が解決しようとする課題】
しかしながら、このものは、挿入孔の内周面側に、保護部材と内表紙要素の貼り合わせ部分が露出することになるため、挿入作業時、この部分に綴じ足の先端部が突き当たり、保護部材が内表紙要素からはがれて、両者間に隙間を生じる恐れがある。そして、このように両者間に隙間が生じた場合には、綴じ足の先端部が、挿入時に保護部材と内表紙要素の境界部分に引っ掛かかり、適正に内表紙要素と外表紙要素間に挿入されない恐れがある。
【０００５】
一方、挿入孔の開口端部及びその周辺に十分な補強効果を付与するためには、前記保護部材に一定の厚みが必要となるが、この保護部材に所定の厚みを確保すると、内表紙要素から保護部材が大きく飛び出すことになり、見栄えを損ねる、ファイルの厚大化を招く等の不具合が生じる。
【０００６】
【課題を解決するための手段】
上記の問題点を解決するために、本発明は、前記挿入孔の開口端部に保護部材を設け、この保護部材を、前記挿入孔の開口内周面を略被覆した状態で該挿入孔に挿入されるボス部を有するものとしている。
【０００７】
【発明の実施の形態】
すなわち、本発明は、対をなす表紙間に用紙類を綴じ足を用いて綴じることができるようにしたファイルであって、一方の表紙側に綴じ足の基端部側を取り付け、他方の表紙側に前記綴じ足の先端部側を挿入可能な挿入孔を設けるとともに、その挿入孔の開口端部に保護部材を設け、この保護部材が、前記挿入孔の開口内周面を略被覆した状態で該挿入孔に挿入されるボス部を具備していることを特徴とするものである。
【０００８】
このような構成のものであると、挿入孔の開口内周面がボス部により略被覆されているので、度重なる挿入作業を行っても、挿入孔の開口端部が消耗することを有効に防止することができる。さらに、前記綴じ足の先端部を挿入孔に挿入する際に、誤って保護部材と他方の表紙側との境界部分に先端部を突き刺すことも防止され、該先端部を適正に所定位置に案内して、挿入作業を円滑なものとすることができる。また、このものは、前記ボス部を挿入孔に挿入することにより、他方の表紙側の厚みを利用して保護部材全体の厚みを確保しているので、保護部材の他方の表紙側からの突出量を押さえながらその厚みを確保して、挿入孔周辺に所定の強度を付与することが可能となる。
【０００９】
本発明の他の態様としては、対をなす表紙間に用紙類を綴じ足を用いて綴じることができるようにしたファイルであって、一方の表紙に綴じ足の基端部側を取り付けるとともに、少なくとも他方の表紙を互いに重合する内表紙要素と外表紙要素とを具備してなる二重構造のものにし、前記内表紙要素に前記綴じ足の先端部側を挿入可能な挿入孔を設けるとともに、その挿入孔の開口端部に保護部材を設け、この保護部材が、前記挿入孔の開口内周面を略被覆した状態で該挿入孔に挿入されるボス部を具備していることを特徴とするものが挙げられる。
【００１０】
この場合にも、前述した請求項１記載の発明と同様の作用が得られるものである。
挿入作業を円滑なものとし得るには、保護部材が、前記ボス部のボス孔に連通する前記綴じ足を挿入するための内挿入孔を有しており、この内挿入孔が、その内周面に前記綴じ足の挿入動作をガイドする案内面を有し、前記案内面が、前記内挿入孔の開口面積を挿入端側から反挿入端側に向かって漸次減少させるようなテーパ傾斜角度を有するテーパ面であることが望ましい。
【００１１】
内挿入孔への挿入作業をより行い易いものとするには、綴じ足の先端部が、挿入方向に沿って位置する対向面を漸次緩やかに近接させた先細り状のものであることが望ましい。
綴じ足の好適な実施の形態としては、綴じ足が、その先端部を他方の表紙側に設けた保護部材の内挿入孔内に挿入する際に該先端部と前記表紙との間の挿入角度が小さくなる方向に屈曲した屈曲部分を有することが望ましい。このような構成のものであると、挿入孔への挿入が行い易いだけでなく、挿入後、他の表紙側の一部、例えば表紙が２重構造である場合には外表紙要素の内面等に沿わせて所定位置に先端部を滑りこませることができるので、綴じ足をより深い位置までスムーズに挿入することができる。さらに、このような構成のものであると、表紙の展開位置で前記屈曲部分が他の表紙側に略沿った状態で保持され、挿入孔から抜けにくいものとなる。
【００１２】
用紙類を確実に綴じ位置に保持し得る好適な実施の形態としては、両表紙側の奥行方向同位置に対向配置させて前記綴じ足と挿入孔から構成される一対の綴じ手段を設け、これら綴じ手段の綴じ足を交差させて用紙類を綴じるようにしているものが挙げられる。
用紙類を確実に綴じ位置に保持し得る他の好適な実施の形態としては、両表紙側の奥行方向に偏移させた位置に前記綴じ足と挿入孔から構成される綴じ手段を少なくとも一対設け、これら綴じ手段の綴じ足を交差させて用紙類を綴じるようにしているものが挙げられる。
【００１３】
簡単な構成で加工も行いやすく、しかも安価なファイルを提供することを可能とするには、両表紙が、折り曲げ成形により一体的に形成されていることが望ましい。
【００１４】
【実施例】
以下、本発明の一実施例について図面を参照して説明する。
このファイルＦは、対をなす表紙１Ａ、１Ｂ間にファイル用紙等の用紙類Ｙを綴じ足２１、３１を用いて綴じることができるようにしたものである。
以下、このファイルＦの具体的な構成について説明する。
【００１５】
このファイルＦは、図１に示すように、内側に用紙類Ｙを挟み込む対をなす表紙１Ａ、１Ｂとこれら表紙１Ａ、１Ｂを連結する中央部１Ｃとから構成される紙製のファイル本体１と、前記表紙１Ａ、１Ｂの用紙類綴じ側の面に中央部１Ｃを挟んで対向配置される対をなす第１、第２の綴じ手段２、３とを具備してなるものである。
【００１６】
ファイル本体１は、前記中央部１Ｃに設けた谷折り線Ｍを境にして谷折りに折畳み可能なものであり、前記表紙１Ａ、１Ｂが対面配置される折畳位置（図示せず）と、表紙１Ａ、１Ｂが略一直線状に配置される展開位置Ｐ（図１参照）とをとり得るものである。そして、通常、展開位置Ｐで用紙類Ｙの綴じ作業を行うようにしている。
【００１７】
表紙１Ａ、１Ｂは、図１〜図３に示すように、互いに重合する内表紙要素４と外表紙要素５とを具備してなる二重構造のものである。本実施例では、図２に示すように、ファイル本体１を１枚の紙素材を折り曲げることにより一体的に形成している。すなわち、このファイル本体１を構成する前記表紙１Ａの内表紙要素４及び外表紙要素５と、中央部１Ｃと、表紙１Ｂの外表紙要素５及び内表紙要素４とを連続して１枚の紙素材により形成している。そして、内表紙要素４が外表紙要素５の内面５ａ側に重合するように図２中矢印で示す方向へ折り線Ｌを介して折り畳んで表紙１Ａ、１Ｂを形成している。
【００１８】
第１、第２の綴じ手段２、３は、図１〜図５に示すように、前記表紙１Ａ、１Ｂの用紙類綴じ側の面である内面側に中央部１Ｃを挟んで対向配置されるもので、奥行方向に沿って対をなして設けてある。前記第１の綴じ手段２は、一方の表紙１Ａ側の外表紙要素５の内面５ａに基端部２１ａを取り付けた綴じ足２１と、前記綴じ足２１の先端部２１ｂを挿入可能な他方の表紙１Ｂの内表紙要素４に設けた挿入孔２２とを具備している。一方、第２の綴じ手段３は、他方の表紙１Ｂ側の外表紙要素５の内面に基端部３１ａを取り付けた綴じ足３１と、前記綴じ足３１の先端部３１ｂを挿入可能な一方の表紙１Ａの内表紙要素４に設けた挿入孔３２とを具備している。本実施例では、これら第１、第２の綴じ手段２、３を両表紙１Ａ、１Ｂの奥行方向同位置に中央部１Ｃを挟んで対向配置しているため、図１に示すように、両綴じ手段２、３の綴じ足２１、３１を交差させて用紙類Ｙを綴止し得る。さらに、図３及び図５に示すように、第１の綴じ手段２の綴じ足２１の基端部２１ａの上方に第２の綴じ手段３の挿入孔３２が位置し、第２の綴じ手段３の綴じ足３１の基端部３１ａの上方に第１の綴じ手段２の挿入孔２２が位置することになり、互いにその綴じ足２１、３１を他方の綴じ手段３、２側の挿入孔３２、２２に挿入することにより、前記表紙１Ａ、１Ｂを構成する外表紙要素５と内表紙要素４とを重合位置に保持している。
【００１９】
綴じ足２１、３１は、可撓性を有する合成樹脂製のものである。前記綴じ足２１、３１は、巾狭な平板状のもので、前記外表紙要素５の内面５ａに両面テープ等で貼り着けた平面視略矩形状の支持台２３、３３から外表紙要素５と直交する方向に突出してある。なお、その基端部２１ａ、３１ａ側は、截頭円錐状のガイド台２４、３４を介して前記支持台２３、３３に連結してある。なお、これら支持台２３、３３、ガイド台２４、３４及び綴じ足２１、３１は、樹脂一体成形品である。前記綴じ足２１、３１は、その先端部２１ｂ、３１ｂが、挿入方向に沿って位置する対向面ｑ、ｒを漸次緩やかに近接させた先細り状のものであり、さらに、この先端部２１ｂ、３１ｂには、対応する挿入孔２２、３２内に挿入する際に該先端部２１ｂ、３１ｂと挿入孔２２、３２の開口端面との間の挿入角度が小さくなる方向に屈曲した屈曲部分２１１、３１１が設けてある。また、前記ガイド台２４、３４は、挿入作業時、他方の綴じ手段３、２の綴じ足３１、２１の先端部３１ａ、２１ａが当接した時に、これを側方へ退避させる方向へ案内するガイド面をその外周に有しているものである。
【００２０】
このような構成のものにおいて、本実施例では、図１〜図４及び図６に示すように、前記挿入孔２２、３２の開口端部２２１、３２１に保護部材６を設けている。そして、この保護部材６が、前記挿入孔２２、３２の開口内周面２２ａ、３２ａを略被覆した状態で該挿入孔２２、３２に挿入されるボス部６１を具備している。
【００２１】
保護部材６は、略円盤状の保護部材本体６２と、前記保護部材本体６２の下面から垂下した略円筒状の前記ボス部６１とを具備している。保護部材本体６２は、前記ボス部６１のボス孔６１ａと軸心を略一致させて連通した内挿入孔６２１を有する略すり鉢状のものである。この内挿入孔６２１は、その内周面に前記綴じ足２１、３１の挿入動作をガイドする案内面６２１ａを有している。この案内面６２１ａは、前記内挿入孔６２１の開口面積を挿入端側から反挿入端側に向かって漸次減少させるようなテーパ傾斜角度を有するテーパ面であるが、このテーパ面のテーパ傾斜角度が、２段階に変化するものである。具体的には、挿入端側のテーパ面の傾斜角度が反挿入端側のテーパ面に比べて小さく設定されている。前記ボス部６１は、保護部材本体６２からの突出量が内表紙要素４の厚みに略等しく設定されているとともに、その外周を前記挿入孔２２、３３の開口内周面２２ａ、３２ａに略密接させた状態で挿入可能なように外径寸法を設定してある。また、ボス孔６１ａは、その開口面積が挿入端側から反挿入端側に向かって漸次拡大するようなテーパ傾斜角度を有するテーパ面となっている。なお、この保護部材６は、前記ボス部６１を内表紙要素４の挿入孔２２、３２に挿入した状態で、前記ベース６２の下面６２ａを内表紙要素４の内面４ａに両面テープや接着剤等により貼着して取り付けられる。
【００２２】
次に、このファイルＦに用紙類Ｙを綴じる場合の手順について説明する。
先ず、ファイル本体１を展開位置Ｐに保持した状態で、用紙類Ｙに設けた綴じ孔を一方の綴じ手段例えば第２の綴じ手段３側の綴じ足３１に挿入する。しかる後、図７に示すように、綴じ足３１を湾曲させてその先端部３１ｂを他方の表紙１Ａ側の挿入孔３２を保護する保護部材６の内挿入孔６２１に挿入して、該先端部３１ａを内表紙要素４と外表紙要素５間に滑りこませる。この時に、本実施例では、前記挿入孔３２の開口内周面３２ａが保護部材６のボス部６１により略被覆されているため、従来のように、誤って保護部材６と内表紙要素４の境界部分に綴じ足３１の先端部３１ｂが突き刺さり、挿入動作が妨げられるということがなく、その先端部３１ｂを内表紙要素４と外表紙要素５間にスムーズに挿入することができる。また、保護部材６の内挿入孔６２１が、案内面６２１ａを有しているので、適正な挿入方向へガイドして挿入することができる。また、挿入時、挿入孔３２内には、他方の綴じ手段である第１の綴じ手段２の綴じ足２１のガイド台２４が存在しているが、このガイド台２４は、綴じ足３１の先端部３１ｂが当接した時に、これを側方へ退避させる方向へ案内するガイド面をその外周に有しているので、前記先端部３１ｂを適正な挿入位置である内表紙要素４と外表紙要素５間へ案内することができる。さらに、綴じ足３１が、その先端部３１ｂを挿入孔３２内に挿入する際に該先端部３１ｂと開口端面との挿入角度が小さくなる方向に屈曲した屈曲部分３１１を有しているので、内挿入孔６２１への挿入が行い易いだけでなく、挿入後、図８に示すように、先端部３１ｂを外表紙要素５の内面５ａに沿わせて外表紙要素５と内表紙要素４間に滑りこませることができるので、綴じ足３１をより深い位置までスムーズに挿入することができる。
【００２３】
一方、他方側の綴じ手段２の綴じ足２１も同様にして、挿入孔２２に挿入され、用紙類Ｙは、両綴じ手段２、３の綴じ足２１、３１を同一の綴じ孔に交差させて綴じられる。
このような構成のものであると、挿入孔２２、３２の開口内周面２２ａ、３２ａがボス部６１により略被覆されているので、度重なる挿入作業を行っても、挿入孔２２、３２の開口端部２２１、３３１が消耗することを有効に防止することができる。さらに、前記綴じ足２１、３１の先端部２１ｂ、３１ｂを挿入孔２２、３２に挿入する際に、誤って保護部材６と内表紙要素４の境界部分に先端部２１ｂ、３１ｂを突き刺すことも防止され、該先端部２１ｂ、３１ｂを適正に内表紙要素４と外表紙要素５間に案内し、挿入作業を円滑なものとすることができる。また、このものは、前記ボス部６１を挿入孔２２、３２に挿入することにより、内表紙要素４の厚みを利用して保護部材６全体の厚みを確保しているので、保護部材６の内表紙要素４からの突出量を押さえながらその厚みを確保し、挿入孔２２、３２周辺に所定の強度を持たせることが可能となる。
【００２４】
また、本実施例のファイルＦは、表紙１Ａ、１Ｂが２重構造であり、内表紙要素４に挿入孔３２、２２を設けているので、綴じ位置で綴じ足２１、３１の先端部２１ｂ、３１ｂを内表紙要素４と外表紙要素５間に保持することができ、安定した綴じ状態を保持できるとともに、該先端部２１ｂ、３１ｂを表紙１Ａ、１Ｂを利用して外部から好適に隠蔽することができる。
【００２５】
保護部材６が、前記ボス部６１のボス孔６１ａに連通する内挿入孔６２１を有しており、この内挿入孔６２１が、その内周面に前記綴じ足２１、３１の挿入動作をガイドする案内面６２１ａを有し、前記案内面６２１ａが、前記内挿入孔６２１の開口面積を挿入端側から反挿入端側に向かって漸次減少させるようなテーパ傾斜角度を有するテーパ面であるので、綴じ足２１、３１の先端部２１ｂ、３１ｂを適正に内表紙要素４と外表紙要素５間に案内して挿入することができ、挿入作業を円滑なものとすることができる。
【００２６】
綴じ足２１、３１の先端部２１ｂ、３１ｂが、挿入方向に沿って位置する対向面ｑ、ｒを漸次緩やかに近接させた先細り状のものであるので、内挿入孔６２１への挿入作業がより行い易いものとなる。
綴じ足２１、３１が、その先端部２１ｂ、３１ｂを他方の表紙側に設けた保護部材６の内挿入孔６２１内に挿入する際に該先端部２１ｂ、３１ｂと開口端面との間の挿入角度が小さくなる方向に屈曲した屈曲部分２１１、３１１を有しているので、内挿入孔６２１への挿入が行い易いだけでなく、挿入後、先端部２１ｂ、３１ｂを外表紙要素５の内面５ａに沿わせて外表紙要素５と内表紙要素４間に滑りこませることができ、綴じ足２１、３１をより深い位置までスムーズに挿入することができる。さらに、このような構成のものであると、ファイル本体１の展開位置Ｐで前記屈曲部分２１１、３１１が、外表紙要素５の内面５ａに略沿った状態で保持され、挿入孔２２、３２から抜けにくいものとなる。
【００２７】
両表紙１Ａ、１Ｂが、２重構造をなすものであり、両表紙１Ａ、１Ｂの奥行方向同位置に対向配置させて前記綴じ足２１、３１と挿入孔２２、３２から構成される第１、第２の綴じ手段２、３を設け、これら綴じ手段２、３の綴じ足２１、３１を交差させて用紙類Ｙの同じ綴じ孔に挿入して綴じるようにしているので、用紙類Ｙを確実に綴じ位置に保持することができる。
【００２８】
ファイル本体１が、紙素材を折り曲げることにより一体的に形成されているものであるので、簡単な構成で加工も行いやすく、しかも安価なファイルを提供することが可能となる。
なお、本発明における構成は、以上説明したものに限定されないのは勿論である。
【００２９】
例えば、本実施例では、第１、第２の綴じ手段２、３を、奥行方向同位置に中央部１Ｃを挟んで対向配置しているが、図９に示すように、第１、第２の綴じ手段２、３をそれぞれ奥行方向に偏位させた位置に配置するようにしてもよい。
さらに、本実施例では、両表紙が２重構造であったが、何れか一方の表紙が２重構造であるものや、両表紙が２重構造でないものであってもよい。なお、表紙が２重構造でない場合には、綴じ位置で綴じ足の先端部を適正な位置に保持する保持用部材が必要となる。
【００３０】
その他の構成も本発明の趣旨を逸脱しない範囲で種々変形が可能である。
【００３１】
【発明の効果】
本発明は、以上説明したような構成で実施され以下に記載されるような効果を奏する。
すなわち、本発明は、前記挿入孔の開口端部に保護部材を設け、この保護部材が、前記挿入孔の開口内周面を略被覆した状態で該挿入孔に挿入されるボス部を具備しているので、度重なる挿入作業を行っても、挿入孔の開口端部が消耗することを有効に防止することができる。さらに、前記綴じ足の先端部を挿入孔に挿入する際に、誤って保護部材と他の表紙側の境界部分に先端部を突き刺すことも防止され、該先端部を適正に所定位置に案内し、挿入作業を円滑なものとすることができる。また、このものは、前記ボス部を挿入孔に挿入することにより、他の表紙側の厚みを利用して保護部材全体の厚みを確保しているので、保護部材の他の表紙側からの突出量を押さえながらその厚みを確保し、挿入孔周辺に所定の強度を持たせることが可能となる。
【００３２】
保護部材が、前記ボス部のボス孔に連通する前記綴じ足を挿入するための内挿入孔を有しており、この内挿入孔が、その内周面に前記綴じ足の挿入動作をガイドする案内面を有し、前記案内面が、前記内挿入孔の開口面積を挿入端側から反挿入端側に向かって漸次減少させるようなテーパ傾斜角度を有するテーパ面であるならば、綴じ足の先端部を適正に所定位置に案内して挿入することができ、挿入作業を円滑なものとすることができる。
【００３３】
綴じ足の先端部が、挿入方向に沿って位置する対向面を漸次緩やかに近接させた先細り状のものであるならば、内挿入孔への挿入作業がより行い易いものとなる。
綴じ足が、その先端部を他方の表紙側に設けた保護部材の内挿入孔内に挿入する際に該先端部と前記表紙側との間の挿入角度が小さくなる方向に屈曲した屈曲部分を有するならば、内挿入孔への挿入が行い易いだけでなく、挿入後、先端部を他方の表紙側の一部に沿わせて所定位置、表紙が２重構造である場合には、内、外表紙要素間に滑りこませることができるので、綴じ足をより深い位置までスムーズに挿入することができる。さらに、このような構成のものであると、表紙の展開位置で前記屈曲部分が、他の表紙側の一部、例えば外表紙要素の内面に略沿った状態で保持され、挿入孔から抜けにくいものとなる。
【００３４】
両表紙の奥行方向同位置に対向配置させて前記綴じ足と挿入孔から構成される一対の綴じ手段を設け、これら綴じ手段の綴じ足を交差させて用紙類を綴じるようにしているならば、用紙類を確実に綴じ位置に保持することができる。
両表紙の奥行方向に偏移させた位置に前記綴じ足と挿入孔から構成される綴じ手段を少なくとも一対設け、これら綴じ手段の綴じ足を交差させて用紙類を綴じるようにしているならば、用紙類を確実に綴じ位置に保持することができる。
【００３５】
両表紙が、折り曲げ成形により一体的に形成されているならば、簡単な構成で加工も行いやすく、しかも安価なファイルを提供することが可能となる。
【図面の簡単な説明】
【図１】本発明の一実施例を示す全体斜視図。
【図２】同表紙の内表紙要素と外表紙要素を展開した状態を示す斜視図。
【図３】同正断面図。
【図４】同要部を示す側面図。
【図５】同要部を示す正断面図。
【図６】同要部を示す正断面図。
【図７】同作用説明図。
【図８】同作用説明図。
【図９】同一変形例を示す斜視図。
【符号の説明】
１Ａ、１Ｂ…表紙
２…綴じ手段（第１の綴じ手段）
３…綴じ手段（第２の綴じ手段）
２１、３１…綴じ足
２１ａ、３１ａ…基端部
２１ｂ、３１ｂ…先端部
２２、３２…挿入孔
２２ａ、３２ａ…開口内周面
４…内表紙要素
５…外表紙要素
６…保護部材
６１…ボス部
６２１…内挿入孔
６２１ａ…案内面
Ｆ…ファイル
Ｙ…用紙類
【図１】
0003624765.tif 000002
【図２】
0003624765.tif 000003
【図３】
0003624765.tif 000004
【図４】
0003624765.tif 000005
【図５】
0003624765.tif 000006
【図６】
0003624765.tif 000007
【図７】
0003624765.tif 000008
【図８】
0003624765.tif 000009
【図９】
0003624765.tif 000010